(57)【要約】  用紙束Ｓの搬送路に沿って配列された処理ユニット４〜６が搬送ユニット２、３と共にハウジング８に収容される。ハウジング前面に窓１０ａ〜１０ｃが設けられ、ハウジング内に可変色照明ユニット１７が配置される。可変色照明ユニットの光放射面（投影板１８）が窓に対向して配置される。搬送ユニットの動作の異常を検出するセンサユニット１３、１５ａ、１５ｂと、各処理ユニットの動作の異常を検出するセンサユニット１４、１６が備えられる。センサユニットにより異常が検出されたとき、又はシステムエラーが発生したとき又は非常停止命令が入力されたとき、製本処理ユニットは停止する。光放射面からの放射光の色が製本処理システムの動作状態を表示すべく変化する。
2020136985.tif 000002
【特許請求の範囲】
【請求項１】
用紙束を搬送路に沿って搬送する搬送ユニットと、
前記搬送路に沿って配列された複数の処理ユニットと、
前記複数の処理ユニットを前記搬送ユニットとともに収容するハウジングと、を備え、
前記ハウジングの前面または上面であって前記複数の処理ユニットのそれぞれに対応する位置に、内部を観察するための窓が設けられ、さらに、
前記搬送ユニットおよび前記複数の処理ユニットを制御する制御ユニットと、
前記ハウジングの内部に配置された照明ユニットと、
前記搬送ユニットに配置され、前記搬送ユニットの動作の異常を検出する１または２以上の第１のセンサユニットと、
前記複数の処理ユニットのそれぞれに配置され、関係する前記処理ユニットの動作の異常を検出する１または２以上の第２のセンサユニットと、を備え、
前記第１または第２のセンサユニットによって前記異常が検出されたとき、または前記制御ユニットにおいてシステムエラーが発生したとき、または前記制御ユニットに非常停止命令が入力されたとき、停止する製本処理システムにおいて、
前記照明ユニットが、前記処理ユニット毎に配置された可変色照明ユニットからなり、
前記可変色照明ユニットは、前記窓に対向して配置された光放射面を有し、
前記光放射面からの放射光の色が、前記製本処理システムの動作状態を表示すべく変化するものであることを特徴とする製本処理システム。
【請求項２】
前記製本処理システムが正常に動作している間、すべての前記可変色照明ユニットの前記光放射面は予め設定された第１の色の光を放射するが、前記第２のセンサユニットによって前記異常が検出されたときは、関係する前記処理ユニットの前記可変色照明ユニットの前記光放射面が前記第１の色とは異なる予め設定された第２の色の光を放射し、または前記第２の色の光で点滅することを特徴とする請求項１に記載の製本処理システム。
【請求項３】
前記第１のセンサユニットによって前記異常が検出されたとき、すべての前記可変色照明ユニットの前記光放射面が前記第２の色の光を放射し、または前記第２の色の光で点滅し、または前記第１および第２の色とは異なる予め設定された第３の色の光を放射し、または前記第３の色の光で点滅することを特徴とする請求項２に記載の製本処理システム。
【請求項４】
前記システムエラーが発生したとき、または前記非常停止命令が入力されたとき、すべての前記可変色照明ユニットの前記光放射面が前記第２の色の光を放射し、または前記第２の色の光で点滅し、または前記第３の色の光を放射し、または前記第３の色の光で点滅し、または前記第１〜第３の色とは異なる予め設定された第４の色の光を放射し、または前記第４の色の光で点滅することを特徴とする請求項３に記載の製本処理システム。
【請求項５】
前記ハウジングの前記複数の処理ユニットのそれぞれに対応する位置に、前記処理ユニットにアクセスするための扉が備えられ、前記ハウジングの前記扉が開放されたとき、関係する前記可変色照明ユニットの前記光放射面が白色光を放射することを特徴とする請求項４に記載の製本処理システム。
【請求項６】
前記第１または第２のセンサユニットによって前記異常が検出されたとき、または前記制御ユニットにおいて前記システムエラーが発生したとき、または前記制御ユニットに前記非常停止命令が入力されたとき、前記可変色照明ユニットの前記光放射面に、前記光放射面からの放射光の色とは異なる色で、前記異常または前記システムエラーまたは前記非常停止命令の入力を表す文字列が表示されることを特徴とする請求項１に記載の製本処理システム。
【請求項７】
前記可変色照明ユニットは、
光沢のない拡散反射面を有する投影板と、
１または２以上のＲＧＢ  ＬＥＤを有し、前記投影板の拡散反射面に向けて光を照射する光源と、を備え、
前記投影板の拡散反射面が前記光放射面を形成していることを特徴とする請求項１に記載の製本処理システム。
【請求項８】
前記可変色照明ユニットの前記投影板の拡散反射面が、前記搬送路に沿ってのびる矩形状をなしていることを特徴とする請求項７に記載の製本処理システム。
【発明の詳細な説明】
【技術分野】
【０００１】
本発明は、無線綴じ製本機や中綴じ製本機等の製本機、および三方断裁機等の製本処理システムに関するものである。
【背景技術】
【０００２】
従来の製本処理システムとして、単葉紙の束（本身）の搬送路に沿って順次配列された複数の処理ユニット（ミリングユニット、糊付けユニット、ニッピングユニットおよび表紙給紙ユニット等）と、本身を搬送路に沿って搬送する搬送ユニットと、すべての処理ユニットを搬送ユニットとともに収容するハウジングと、搬送ユニットおよび処理ユニットを制御する制御ユニットを備え、ハウジングの正面であって各処理ユニットに対応する位置に、処理ユニットにアクセスするための扉が設けられるとともに、扉には内部を観察するための窓が設けられ、さらに、ハウジングの内部に照明ユニットが配置されたものがある（例えば、特許文献１参照）。【０００３】
この種の製本処理システムにおいては、また、処理ユニット毎に動作の異常を検出するセンサユニットが配置され、センサユニットによって異常が検出されたとき、アラームが鳴らされて製本処理システムが停止し、操作パネルのディスプレイ上に、異常が発生した処理ユニットの種別および個所、および異常の原因等が表示されるようになっている（例えば、特許文献２参照）。【０００４】
そして、製本処理システムの運転中にアラームが鳴って製本処理システムが停止すると、作業者が、操作パネルのディスプレイ上に表示された情報をもとに、異常が発生した処理ユニットの位置の扉を開放し、異常個所の回復作業を行うようになっている。【０００５】
しかし、この構成によれば、作業者は、ディスプレイを見なければ、異常の発生状況（異常が発生した処理ユニットの種別および個所、および異常の原因等）を知ることができない。
そのため、アラームが鳴って製本処理システムが停止した場合に、作業者は、操作パネルまで行って異常の発生状況を確認した後でなければ、異常のある処理ユニットの回復作業を行うことができず、その結果、作業者の対応が遅れるという問題があり、これは、特に、長い搬送ラインに沿って多数の処理ユニットが配置された製本処理システムにおいて顕著であった。【０００６】
さらには、製本処理システムの操作パネルのディプレイという限られた面積内で表示を行うので、視認性が十分とは言えず、作業者が異常の発生状況を把握しづらいという問題もあった。
【先行技術文献】
【特許文献】
【０００７】
【特許文献１】特許第５００２８５６号公報
【特許文献２】特開平１１−３３４２４３号公報
【発明の概要】
【発明が解決しようとする課題】
【０００８】
したがって、本発明の課題は、視認性に優れた動作状態表示機能を備えた製本処理システムを提供することにある。
【課題を解決するための手段】
【０００９】
上記課題を解決するため、本発明によれば、用紙束を搬送路に沿って搬送する搬送ユニットと、前記搬送路に沿って配列された複数の処理ユニットと、前記複数の処理ユニットを前記搬送ユニットとともに収容するハウジングと、を備え、前記ハウジングの前面または上面であって前記複数の処理ユニットのそれぞれに対応する位置に、内部を観察するための窓が設けられ、さらに、前記搬送ユニットおよび前記複数の処理ユニットを制御する制御ユニットと、前記ハウジングの内部に配置された照明ユニットと、前記搬送ユニットに配置され、前記搬送ユニットの動作の異常を検出する１または２以上の第１のセンサユニットと、前記複数の処理ユニットのそれぞれに配置され、関係する前記処理ユニットの動作の異常を検出する１または２以上の第２のセンサユニットと、を備え、前記第１または第２のセンサユニットによって前記異常が検出されたとき、または前記制御ユニットにおいてシステムエラーが発生したとき、または前記制御ユニットに非常停止命令が入力されたとき、停止する製本処理システムにおいて、前記照明ユニットが、前記処理ユニット毎に配置された可変色照明ユニットからなり、前記可変色照明ユニットは、前記窓に対向して配置された光放射面を有し、前記光放射面からの放射光の色が、前記製本処理システムの動作状態を表示すべく変化するものであることを特徴とする製本処理システムが提供される。
ここで、「用紙束」には、単葉紙または折丁の束（「本身」ともいう）のほか、単葉紙および折丁の単体や、表紙が付された本身等も含まれる（以下同様）。
また、「光放射面が窓に対向して配置され」とは、光放射面の窓に対する位置および角度が、作業者がシステム運転中の平常時の立ち位置から窓越しにハウジング内部を覗き込んだときに、光放射面の少なくとも一部を視認し得るように設定されることを意味する（以下同様）。【００１０】
本発明の好ましい実施例によれば、前記製本処理システムが正常に動作している間、すべての前記可変色照明ユニットの前記光放射面は予め設定された第１の色の光を放射するが、前記第２のセンサユニットによって前記異常が検出されたときは、関係する前記処理ユニットの前記可変色照明ユニットの前記光放射面が前記第１の色とは異なる予め設定された第２の色の光を放射し、または前記第２の色の光で点滅する。【００１１】
本発明の別の好ましい実施例によれば、前記第１のセンサユニットによって前記異常が検出されたとき、すべての前記可変色照明ユニットの前記光放射面が前記第２の色の光を放射し、または前記第２の色の光で点滅し、または前記第１および第２の色とは異なる予め設定された第３の色の光を放射し、または前記第３の色の光で点滅する。【００１２】
本発明のさらに別の好ましい実施例によれば、前記システムエラーが発生したとき、または前記非常停止命令が入力されたとき、すべての前記可変色照明ユニットの前記光放射面が前記第２の色の光を放射し、または前記第２の色の光で点滅し、または前記第３の色の光を放射し、または前記第３の色の光で点滅し、または前記第１〜第３の色とは異なる予め設定された第４の色の光を放射し、または前記第４の色の光で点滅する。【００１３】
本発明のさらに別の好ましい実施例によれば、前記ハウジングの前記複数の処理ユニットのそれぞれに対応する位置に、前記処理ユニットにアクセスするための扉が備えられ、前記ハウジングの前記扉が開放されたとき、関係する前記可変色照明ユニットの前記光放射面が白色光を放射する。【００１４】
本発明のさらに別の好ましい実施例によれば、前記第１または第２のセンサユニットによって前記異常が検出されたとき、または前記制御ユニットにおいて前記システムエラーが発生したとき、または前記制御ユニットに前記非常停止命令が入力されたとき、前記可変色照明ユニットの前記光放射面に、前記光放射面からの放射光の色とは異なる色で、前記異常または前記システムエラーまたは前記非常停止命令の入力を表す文字列が表示される。【００１５】
本発明のさらに別の好ましい実施例によれば、前記可変色照明ユニットは、光沢のない拡散反射面を有する投影板と、１または２以上のＲＧＢ  ＬＥＤを有し、前記投影板の拡散反射面に向けて光を照射する光源と、を備え、前記投影板の拡散反射面が前記光放射面を形成している。【００１６】
本発明のさらに別の好ましい実施例によれば、前記可変色照明ユニットの前記投影板の拡散反射面が、前記搬送路に沿ってのびる矩形状をなしている。
【発明の効果】
【００１７】
本発明によれば、製本処理システムのハウジング内部に可変色照明ユニットを配置し、可変色照明ユニットに内部照明の機能と製本処理システムの運転状態を表示する表示灯の機能をもたせ、照明の色を変化させることによって、製本処理システムの動作状態（搬送ユニットまたは処理ユニットまたは製本処理システムの全体またはそれらの２以上の組み合わせの動作状態）を表示するようにした。【００１８】
さらに、可変色照明ユニットの光放射面を窓に対向して配置し、作業者がハウジングの窓越しに可変色照明ユニットの光放射面を無理なく見られるようにした。【００１９】
それによって、作業者は、光放射面も含むハウジングの内部照明の色の変化を見るだけで、操作パネルまで行かなくても、その場で製本処理システムの動作状態を直感的に把握することができる。
こうして、本発明によれば、従来例よりも視認性に優れた動作状態表示機能を備えた製本処理システムを提供することができる。
【図面の簡単な説明】
【００２０】
【図１】本発明の１実施例による製本処理システムの斜視図である。
【図２】図１の製本処理システムのハウジングの扉が開かれた状態を示す斜視図である。
【図３】（Ａ）は、図１の製本処理システムの可変色照明ユニットの構成を示す側断面図であり、（Ｂ）は、可変色照明ユニットの変形例を示す側断面図である。
【図４】可変色照明ユニットの変形例を示す図３に類似の図である。
【図５】本発明の別の実施例による製本処理システムの可変色照明ユニットを示す図４（Ａ）に類似の図である。
【図６】本発明のさらに別の実施例による製本処理システムを示す図２に類似の図である。
【発明を実施するための形態】
【００２１】
以下、添付図面を参照しつつ、本発明の構成を好ましい実施例に基づいて説明する。
図１は、本発明の１実施例による製本処理システムの斜視図であり、図２は、図１の製本処理システムのハウジングの扉が開かれた状態を示す斜視図である。
この実施例では、製本処理システムは三方断裁機からなっている。
【００２２】
図１および図２を参照して、三方断裁機１は、用紙束Ｓを搬送路に沿って搬送する搬送ユニット２、３と、搬送路に沿って順次配置された給紙ユニット（第１の処理ユニット）４、断裁ユニット（第２の処理ユニット）５および集積ユニット（第３の処理ユニット）６を備えている。
この実施例では、用紙束Ｓは、本身に表紙が付されたものからなっている。
【００２３】
搬送ユニット２、３は、この実施例では、用紙束Ｓを給紙ユニット４から断裁ユニット５まで搬送する第１の搬送ユニット２と、断裁ユニット５によって断裁処理された用紙束Ｓ’を集積ユニット６まで搬送する第２の搬送ユニット３からなっている。
【００２４】
第１の搬送ユニット２は、用紙束Ｓを把持し得るチャックヘッド２ａと、給紙ユニット４から断裁ユニット５までのび、チャックヘッド２ａがスライド可能に取り付けられたガイド（図示されない）と、チャックヘッド２ａをガイドに沿って往復運動させるチャックヘッド駆動機構２ｂを有している。
【００２５】
第２の搬送ユニット３は、断裁処理された用紙束Ｓ’を把持し得るチャックヘッド３ａと、断裁ユニット５から集積ユニット６までのび、チャックヘッド３ａがスライド可能に取り付けられたガイド（図示されない）と、チャックヘッド３ａをガイドに沿って往復運動させるチャックヘッド駆動機構３ｂを有している。
【００２６】
給紙ユニット４は、その上に用紙束Ｓの積層体が置かれる昇降可能な棚４ａと、棚４ａを昇降させる昇降機構（図示されない）と、積層体の最上位の用紙束Ｓを順次チャックヘッド２ａに向けて送出する給紙機構４ｂを備えている。
【００２７】
断裁ユニット５は、昇降可能な断裁刃５ａと、断裁刃５ａの真下に対向配置された刃受け５ｂと、回転テーブル５ｃと、回転テーブル５ｃの上方に対向配置された昇降可能な押圧板５ｄと、回転テーブル５ｃの一側に立設された揃え板５ｅを備えている。
【００２８】
集積ユニット６は、その上に断裁処理された用紙束Ｓ’が集積される昇降可能な棚６ａと、棚６ａを昇降させる昇降機構（図示されない）を備えている。
【００２９】
搬送ユニット２、３、給紙ユニット４、断裁ユニット５および集積ユニット６は、制御ユニット７によって制御される。
【００３０】
三方断裁機１は、さらに、給紙ユニット４、断裁ユニット５および集積ユニット６を搬送ユニット２、３とともに収容するハウジング８を備えている。
そして、ハウジング８の前面であって、給紙ユニット４、断裁ユニット５および集積ユニット６のそれぞれに対応する位置に、関係するユニット４〜６にアクセスするための扉９ａ〜９ｃが設けられるとともに、扉９ａ〜９ｃには内部を観察するための窓１０ａ〜１０ｃが設けられている。
【００３１】
この実施例では、給紙ユニット４の扉９ａは、上端縁においてハウジング８の横方向にのびる水平軸のまわりに回動可能に取り付けられ、断裁ユニット５および集積ユニット６の扉９ｂ、９ｃは、入れ子状の配置で、ハウジング８の横方向に往復スライド運動可能に取り付けられている。
【００３２】
また、ハウジング８の前面に操作パネル１１と、非常停止ボタン１２が設けられている。非常停止ボタン１２が押されると、制御ユニット７に非常停止命令が入力される。
【００３３】
給紙ユニット４におけるチャックヘッド２ａの移動経路沿いに、チャックヘッド２ａの通過を検出するセンサユニット（第１のセンサユニット）１３が配置され、給紙ユニット４の給紙機構４ｂには、紙詰まりおよび誤給紙を検出するセンサユニット（第２のセンサユニット）１４が配置されている。
【００３４】
また、断裁ユニット５におけるチャックヘッド２ａの移動経路沿いに、チャックヘッド２ａの通過を検出するセンサユニット（第１のセンサユニット）１５ａが配置され、断裁ユニット５におけるチャックヘッド３ａの移動経路沿いに、チャックヘッド３ａの通過を検出するセンサユニット（第１のセンサユニット）１５ｂが配置されている。
【００３５】
さらに、集積ユニット６には、集積ユニット６が収容可能な最大数の用紙束Ｓが棚６ａ上に集積されたときを検出するセンサユニット（第２のセンサユニット）１６が配置されている。
【００３６】
三方断裁機１は、次のように動作する。
給紙ユニット４の給紙機構４ｂから送出された用紙束Ｓがチャックヘッド２ａによって把持され、チャックヘッド２ａによって断裁ユニット５の回転テーブル５ｃまで搬送される。
棚４ａは、用紙束Ｓが送出されるたびに、当該用紙束Ｓの厚さ分上昇する。
【００３７】
用紙束Ｓの一側が揃え板５ｅに当接して、用紙束Ｓが回転テーブル５ｃ上の所定位置に置かれると、押圧板５ｄが下降し、用紙束Ｓが回転テーブル５ｃおよび押圧板５ｄ間に把持されるとともに、チャックヘッド２ａが用紙束Ｓから離間し、次の用紙束Ｓを把持すべく給紙ユニット４までもどる。
【００３８】
その後、回転テーブル５ｃが、押圧板５ｄとの間に用紙束Ｓを把持した状態で、断裁刃５ａに向けて前進し、９０°回転後、用紙束Ｓの地が断裁刃５ａによって断裁され、次いで、回転テーブル５ｃが９０°回転し、用紙束Ｓの小口が断裁刃５ａによって断裁され、次いで、回転テーブル５ｃが９０°回転し、用紙束Ｓの天が断裁刃５ａによって断裁される。
【００３９】
断裁ユニット５による断裁処理が完了すると、チャックヘッド３ａが、回転テーブル５ｃ上の断裁処理された用紙束Ｓ’を把持するとともに、押圧板５ｄが上昇し、断裁処理された用紙束Ｓ’が断裁ユニット５からチャックヘッド３ａに受け渡される。その後、チャックヘッド３ａは、断裁処理された用紙束Ｓ’を把持した状態で集積ユニット６に向けて移動し、集積ユニット６の棚６ａの上に到着したとき、断裁処理された用紙束Ｓ’を解放して棚６ａ上に置き、次いで、次の断裁処理された用紙束Ｓ’を把持すべく断裁処理ユニット５に向けて移動する。
棚６ａは、断裁処理された用紙束Ｓ’が棚６ａ上に置かれるたびに当該用紙束Ｓの厚さ分だけ下降する。
【００４０】
そして、製本処理システムの動作中に、センサユニット（第１のセンサユニット）１３、１５ａ、１５ｂによって、チャックヘッド２ａの不通過が検出されたとき、あるいは、センサユニット（第２のセンサユニット）１４によって紙詰まりまたは誤給紙が検出されたとき、あるいは、センサユニット（第２のセンサユニット）１６によって集積ユニット６が満杯であることが検出されたとき、あるいは、制御ユニット７においてシステムエラーが発生したとき、あるいは、制御ユニット７に非常停止ボタン１２を通じて非常停止命令が入力されたとき、三方断裁機１は停止するようになっている。
【００４１】
三方断裁機１は、また、給紙ユニット４、断裁ユニット５および集積ユニット６の各処理ユニット毎に、ハウジング８の内部に可変色照明ユニット１７が配置されている。
図３（Ａ）は、可変色照明ユニットの構成を示す側断面図である。
図１〜図３（Ａ）を参照して、この実施例では、可変色照明ユニット１７は、光沢のない拡散反射面１８ｃを有する投影板１８と、１または２以上のＲＧＢ  ＬＥＤを有し、投影板１８の拡散反射面１８ｃに向けて光を照射する光源１９とを備え、間接照明を行うようになっている。
【００４２】
投影板１８は、細長い中空の直角三角柱形状の本体１８ａと、本体１８ａの直交する側面のうちの一方の側面の側縁から当該一方の側面に直角に、かつ側縁の全長にわたってのびるＬ字状断面の取付部１８ｂとを有し、本体１８ａの傾斜面が拡散反射面１８ｃを形成している。
【００４３】
投影板１８は、搬送路に沿って水平にのびるとともに、拡散反射面１８ｃが上向きに傾斜しつつ窓１０ａ〜１０ｃに対向する配置で、三方断裁機１のフレームＦに取り付けられている。
【００４４】
そして、作業者がシステム運転中の平常時の立ち位置から窓１０ａ〜１０ｃ越しにハウジング８の内部を覗き込んだときに、投影板１８の拡散反射面１８ｃの少なくとも一部を視認し得るようになっている。
【００４５】
なお、この実施例では、拡散反射面１８ｃの平行投影法による垂直面上への正投影ｇが、窓１０ａ〜１０ｃの平行投影法による当該垂直面上への正投影Ｇの範囲内に位置している。
【００４６】
光源１９は、複数のＲＧＢ  ＬＥＤが一列に並べられたライン光源からなり、投影板１８に平行にのびる逆Ｌ字状断面の支持部材２０を介して投影板１８の取付部１８ｂの上面に取り付けられている。
この場合、支持部材２０の先端部２０ａが下向きに屈曲しており、光源１９は、この先端部２０ａの裏面に取り付けられて、投影板１８の拡散反射面１８ｃの前方斜め上方から拡散反射面１８ｃに光を照射するようになっている。
【００４７】
こうして、可変色照明ユニット１７が間接照明を行うように構成し、作業者から光源１９が直接見えないようにしたことで、作業者のまぶしさを防ぐことができ、さらには、三方断裁機１のデザイン性を向上させるという効果も得られる。
【００４８】
なお、可変色照明ユニット１７は、光沢のない拡散反射面を有する投影板と、投影板の拡散反射面に光を照射するＲＧＢ  ＬＥＤ光源とを備え、間接照明を行うものであれば、どのような構成であってもよい。
よって、例えば、図３（Ｂ）に示すように、光源１９が、投影板１８の拡散反射面１８ｃの前方斜め上方であって、窓１０ａ〜１０ｃを通じた視界の外側に配置されていてもよい。
【００４９】
あるいは、図４（Ａ）に示すように、可変色照明ユニット１７’を、拡散反射面１８ｃが下向きに傾斜する配置で搬送路に沿って水平にのびる投影板１８と、投影板１８の前方斜め下方に配置されて、拡散反射面１８ｃに光を照射する光源１９’とから構成することもできる。
【００５０】
さらに、本発明によれば、可変色照明ユニット１７の光源１９からの放射光の色、よって、投影板１８（拡散反射面１８ｃ）からの放射光の色が、三方断裁機１の動作状態を表示すべく変化するようになっている。
【００５１】
この実施例では、三方断裁機１が正常に動作している間、すべての可変色照明ユニット１７の投影板１８（拡散反射面１８ｃ）は予め設定された第１の色（例えば、緑色）の光を放射するが、センサユニット（第２のセンサユニット）１４、１６によって異常が検出されたときは、関係する処理ユニット４〜６の可変色照明ユニット１７の投影板１８（拡散反射面１８ｃ）が第１の色（緑色）とは異なる予め設定された第２の色（例えば、赤色）の光を放射し、または第２の色（赤色）の光で点滅する。
【００５２】
また、センサユニット（第１のセンサユニット）１３、１５ａ、１５ｂによって異常が検出されたとき、すべての可変色照明ユニット１７の投影板１８（拡散反射面１８ｃ）が第２の色（赤色）の光を放射し、または第２の色（赤色）の光で点滅する。
【００５３】
この場合、投影板１８（拡散反射面１８ｃ）が、第１および第２の色とは異なる色の光を放射し、または当該異なる色で点滅するようにしてもよい。
【００５４】
さらに、システムエラーが発生したとき、または非常停止ボタンが押されたとき、すべての可変色照明ユニット１７の投影板１８（拡散反射面１８ｃ）が第１および第２の色とは異なる予め設定された第３の色（例えば、オレンジ色）の光を放射し、または第３の色の光で点滅する。
【００５５】
この場合、投影板１８（拡散反射面１８ｃ）が、第２の色（赤色）の光を放射し、または第２の色（赤色）の光で点滅するようにしてもよい。
【００５６】
さらに、この実施例では、ハウジング８の扉９ａ〜９ｃが開放されたとき、関係する可変色照明ユニット１７が白色光を放射するようになっている。
このように白色光でハウジング内を照明することで、異常個所の回復作業が迅速かつ的確に行えるようになる。
【００５７】
本発明によれば、三方断裁機１の処理ユニット４〜６毎に、ハウジング８の内部に可変色照明ユニット１７を配置し、可変色照明ユニット１７に内部照明の機能と三方断裁機１の運転状態を表示する表示灯の機能をもたせ、照明の色を変化させることで、三方断裁機１の動作状態を表示するようにした。
【００５８】
さらに、可変色照明ユニット１７の投影板１８を搬送路に関して窓１０ａ〜１０ｃの反対側において窓１０ａ〜１０ｃに対向して配置して、作業者がハウジング８の窓越しに投影板１８を無理なく見られるようにした。
【００５９】
それによって、作業者は、投影板１８も含むハウジング８の内部照明の色の変化を見るだけで、操作パネル１１まで行かなくても、その場で三方断裁機１の動作状態を直感的に把握することができる。
【００６０】
図５は、本発明の別の実施例による製本処理システムの可変色照明ユニットを示す図４（Ａ）に類似の図である。よって、図５中、図４（Ａ）に示したものと同じ構成要素には同一番号を付し、以下ではそれらの詳細な説明を省略する。
【００６１】
図５を参照して、この実施例では、製本処理システムのハウジング２１は、側断面が矩形状であり、ハウジング２１の上面に扉２２が設けられるとともに、扉２２には、内部を観察するための窓２３が設けられている。
【００６２】
そして、ハウジング２１の内部に可変色照明ユニット１７’が配置されている。
可変色照明ユニット１７’は、搬送路に沿って水平にのびるとともに、拡散反射面１８ｃが上向きに傾斜しつつ窓２３に対向する配置で製本処理ユニットのフレームＦ’に取り付けられた投影板１８と、投影板１８の斜め上方に配置されて、拡散反射面１８ｃに光を照射する光源１９’とから構成されている。
【００６３】
以上、本発明の好ましい実施例を説明したが、本発明の構成は、上記実施例に限定されず、当業者が、本願の特許請求の範囲に記載された構成の範囲内で種々の変形例を案出し得ることは言うまでもない。
例えば、上記実施例では、製本処理システムが三方断裁機からなっているが、三方断裁機を構成する搬送ユニットの構成、処理ユニットの種類および数、並びにセンサユニットの種類および数（検出される動作異常の種類）等は上記実施例に限定されない。
また、製本処理システムが三方断裁機に限定されることもなく、製本処理システムは、例えば、無線綴じ製本機または中綴じ製本機からなっていてもよい。
【００６４】
また、上記実施例では、可変色照明ユニットを、可変色の間接照明を行う照明ユニットから構成したが、可変色照明ユニットは、光放射面を有し、光放射面が搬送路に関してハウジングの窓の反対側において窓に対置されておればどのような構成であってもよい。よって、例えば、図４（Ｂ）に示すように、可変色照明ユニット１７”が直接照明を行う可変色面光源からなっていてもよい。
【００６５】
また、例えば、図１の実施例に、さらに、第１または第２のセンサユニット１３〜１６によって異常が検出されたとき、または制御ユニット７においてシステムエラーが発生したとき、または制御ユニット７に非常停止命令が入力されたとき、可変色照明ユニット１７の拡散反射面（光放射面）１８ｃに、拡散反射面１８ｃからの放射光の色とは異なる色で、異常またはシステムエラーまたは非常停止命令の入力を表す文字列を表示する構成（図６の断裁ユニット５の拡散反射面１８ｃ上の文字「JAM ERROR」参照）を付加することもできる。
【００６６】
また、上記実施例では、ハウジング８の前面または上面の各処理ユニット４〜６に対応する位置に扉９ａ〜９ｃが設けられるとともに、窓１０ａ〜１０ｃが扉９ａ〜９ｃに設けられるが、窓１０ａ〜１０ｃは、ハウジング８の前面または上面であって各処理ユニットに対応する位置に設けれられればよく、必ずしも扉９ａ〜９ｃに設けられる必要はない。
【符号の説明】
【００６７】
１  三方断裁機
２  第１の搬送ユニット
２ａ  チャックヘッド
２ｂ  チャックヘッド駆動機構
３  第２の搬送ユニット
３ａ  チャックヘッド
３ｂ  チャックヘッド駆動機構
４  給紙ユニット
４ａ  棚
４ｂ  給紙機構
５  断裁ユニット
５ａ  断裁刃
５ｂ  刃受け
５ｃ  回転テーブル
５ｄ  押圧板
５ｅ  揃え板
６  集積ユニット
６ａ  棚
７  制御ユニット
８  ハウジング
９ａ〜９ｃ  扉
１０ａ〜１０ｃ  窓
１１  操作パネル
１２  非常停止ボタン
１３  センサユニット（第１のセンサユニット）
１４  センサユニット（第２のセンサユニット）
１５ａ、１５ｂ  センサユニット（第１のセンサユニット）
１６  センサユニット（第２のセンサユニット）
１７、１７’、１７”  可変色照明ユニット
１８  投影板
１８ａ  本体
１８ｂ  取付部
１８ｃ  拡散反射面（光放射面）
１９、１９’  光源
２０  支持部材
２０ａ  屈曲部
２１  ハウジング
２２  扉
２３  窓
Ｆ、Ｆ’  フレーム
ｇ  拡散反射面の平行投影法による垂直面上への正投影
Ｇ  窓の平行投影法による垂直面上への正投影
Ｓ  用紙束
Ｓ’  断裁処理された用紙束
【図１】
2020136985.tif 000003
【図２】
2020136985.tif 000004
【図３】
2020136985.tif 000005
【図４】
2020136985.tif 000006
【図５】
2020136985.tif 000007
【図６】
2020136985.tif 000008
【国際調査報告】
2020136985.tif 000009
2020136985.tif 000010
2020136985.tif 000011
2020136985.tif 000012